(57)【要約】      （修正有）【課題】ペットの屋外運動時などに、ペットのする排泄物を清潔且つ、確実に捕捉、収集し、持ち帰った後は、家庭用トイレに容易に投棄できる。【解決手段】底プレート２は、柄１の一方先端部に固着されている。柄１の他方先端部側は握り部分であり握りやすい形状に形成されるか、滑り止め処置が施されている。底プレート２は平板状で、受け枠３の下方周縁部と接して、受け枠３をその上面に載せる。受け枠３は、底のない深平皿のような形状であり、回動時には指先で摘み易いように小取っ手６ａが形成されている。受けシート４は、受け枠３を被うことができるぐらいの大きさであればよい。保持枠５は、リング状の形状をしていて、受け枠と同様に小取っ手６ｂが成形されている。保持枠５を降ろして、受け枠３の上方周縁部に載せたときには、小取っ手６ａと６ｂは重なることなく、相互に隣接するようにする。【選択図】図１
0003117236.tif 000002
【実用新案登録請求の範囲】
【請求項１】
棒状の柄と、その柄の一方先端部に固着させた底プレートと、該柄にその一端を係合され、該係合点を支点として回動自在であり、該底プレート上に配設される受け枠と、該受け枠を覆うように配設される受けシートと、該受け枠の上方周縁部に当接する形状で、該受けシートを該受け枠との間で挟持する保持枠であって、該保持枠は、その一端を該柄に係合され、該係合点を支点として回動自在自であることを特徴とするペットのための後始末の容易な携帯式排泄物処理器具。
【請求項２】
前記底プレートは、上面に溝状の凹部を備え、該溝状の凹部は、前記受け枠の下方周縁部と嵌合し、前記保持枠は、溝状の凹部を下方周縁部に備え、該保持枠の溝状の凹部は、該受け枠の上方周縁部と嵌合し、該保持枠と該受け枠は、前記受けシートを挟持し、略固定することを特徴とする請求項１のペットのための後始末の容易な携帯式排泄物処理器具。
【請求項３】
前記底プレートは、上面に溝状の凹部を備え、該溝状の凹部は、前記受け枠の下方周縁部と嵌合し、該受け枠は、溝状の凹部を上方周縁部に備え、下方周縁部に凸部を有する前記保持枠と嵌合し、該保持枠と該受け枠は、前記受けシートを挟持し、略固定することを特徴とする請求項１のペットのための後始末の容易な携帯式排泄物処理器具。
【請求項４】
前記保持枠の上方に配設され、前記柄にその一端を係合され、該係合点を支点として回動自在の被い傘を具備することを特徴とする請求項１乃至請求項３のペットのための後始末の容易な携帯式排泄物処理器具。
【考案の詳細な説明】
【産業上の利用分野】
【０００１】  本考案は、ペット、特に犬などの屋外運動をさせる際に携帯して持ち運べ、ペットの排泄物、特に糞を収集し、持ち帰った後には、一般家庭の水洗式トイレに収集した排泄物を容易に投棄できるペットのための携帯式排泄物処理器具である。
【背景技術】
【０００２】  近年ペットは人々の心を和ませる良き友として、飼い主やその家族の重要な一員となってきている。従来、賃貸アパート、マンションなどでは近隣住民への配慮からペットの飼育が禁止されることが多かったが、最近ではペットの飼育が許されるアパート、マンションも増えてきた。この傾向は、近年人々がペットの飼育を強く欲することの表れであろう。【０００３】  ペットは生き物であるから、食事や、健康管理など毎日の世話が必要で、なかでも排泄物の処理は飼い主やその家族にとって特に手間のかかるものとなっている。このため排泄物の処理を楽に行える多くの発明、考案がなされている。従来の方法を大別すると二つの方式が見られる。【０００４】  一つは地面に落ちたペットの排泄物を簡単な道具や、器具を用いて収集するものであるが、専用の袋状の道具を手に付けて直接掴み取る方法や、シャベルや、へら状の器具を用いて地面にある排泄物を掬い取る方法である。例えば特許文献１や、特許文献２などがある。これらの方法では、排泄物に直接触れるほど近づかないと処理できないことや、排泄物の状態や、落下した場所によっては完全に収集できないことがあるうえ、汚れた器具の洗浄をしないと使用後に屋内に持ち込み、保管できないなどの問題がある。
【特許文献１】特開平８−１５４５１９公報
【特許文献２】実開平６−４５４４０公報
【０００５】  もう一つは、ペットの排泄物を、器具を用いて地面に落下する前に捕捉、収集する方法である。例えば特許文献３や、特許文献４などがある。この方法では排泄物が地面に落下する前に捕捉、収集できるので、地面を汚すことがなく、また、極端に排泄物に近づく必要もないので気持ちよく処理ができる利点があるが、収集後はビニール、または硬質な紙等の専用袋に排泄物を収めて持ち帰ることになり、家庭用トイレにはそのままでは投棄できない。近年では環境対策や、資源リサイクルのため、家庭ゴミの分別回収が実施されており生ゴミや、一般可燃ゴミでも毎日回収処分されることはないので、結局、数日間は悪臭の元となるペットの排泄物を屋内に保管しておかなければならないという問題がある。さらに専用の収集袋は、少なからず費用がかかり経済的な面でも負担がある。
【特許文献３】特開平５−１７６６５１
【特許文献４】特開平１０−１６５０３０
【考案が解決しようとする課題】
【０００６】  本考案は前記従来の技術における課題を解決するべくなされたもので、ペットの排泄物を容易に且つ確実に捕捉、収集するとともに、収集した排泄物を一般家庭のトイレに容易に投棄できることとし、さらには特別高価な道具を用いないことで、経済的にも負担の少ないペットのための携帯式排泄物処理器具を提供せんとするものである。
【課題を解決するための手段】
【０００７】  上記の課題を解決するために請求項１に係わる考案では、棒状の柄と、その柄の一方先端部に固着させた底プレートと、該柄にその一端を係合され、該係合点を支点として回動自在であり、該底プレート上に配設される受け枠と、該受け枠を覆うように配設される受けシートと、該受け枠の上方周縁部に当接する形状で、該受けシートを該受け枠との間で挟持する保持枠であって、該保持枠は、その一端を該柄に係合され、該係合点を支点として回動自在自である構成を採用する。ここで、受けシートの材質について説明する。受けシートは排泄物を直接受けた後には家庭用トイレに排泄物と共に投棄されるものであるので、水溶性の柔らかい紙が望ましい。実際的には一般のティシュペーパー、またはちり紙を１から２枚程度重ねたものでよい。受け枠を被うことができればロールタイプのトイレット・ペーパーを２、３回折り返してシート状にしたものでもよい。
【０００８】  請求項２に係わる考案では、前記請求項１の構成に加えて、前記底プレートは、上面に溝状の凹部を備え、該溝状の凹部は、前記受け枠の下方周縁部と嵌合し、前記保持枠は、溝状の凹部を下方周縁部に備え、該保持枠の溝状の凹部は、該受け枠の上方周縁部と嵌合し、該保持枠と該受け枠は、前記受けシートを挟持し、略固定する構成を採用する。ペットの屋外運動時には、随伴者は常にペットを繋ぐ紐を片手に保持しているので、本考案の器具はもう一方の手で携帯、操作される。従って器具全体には一定の剛性が求められる。底プレート、受け枠並びに保持枠は、例えばステンレス、アルミなどの金属材料で形成されることが望ましいが、材料が高価になることを考慮すれば硬質の合成樹脂でもよい。その場合でも、特に保持枠は排泄物に接触して汚れる可能性の高い部分となるので全体形状は小さいものが望ましい一方、受けシートを略固定する機能が求められるため一定の重量が必要であることに留意する。この部分には、例えば高比重の合成樹脂材料などが選択可能である。
【０００９】  請求項３に係わる考案では、前記請求項１の構成に加えて、前記底プレートは、上面に溝状の凹部を備え、該溝状の凹部は、前記受け枠の下方周縁部と嵌合し、該受け枠は、溝状の凹部を上方周縁部に備え、下方周縁部に凸部を有する前記保持枠と嵌合し、該保持枠と該受け枠は、前記受けシートを挟持し、略固定する構成を採用する。この構成では、特に保持枠の大きさを出来る限り小さくすることが可能になる。しかしながら、保持枠は受けシートを、受け枠と共に挟持して、受けシートを略固定する目的のため、一定の重量が必要になる。そこで、小型のバネ等の弾性体を柄と保持枠の係合点部分に備え、保持枠が一定の力で受け枠の上方周縁部分を押すように力が加わる構造にしても良い。
【００１０】  請求項４に係わる考案では、前記請求項１乃至請求項３の構成に加えて、前記保持枠の上方に配設され、前記柄にその一端を係合され、該係合点を支点として回動自在の被い傘を具備する構成を採用する。被い傘は雨のときなどに受けシートが濡れてしまうのを防ぐ目的と排泄物を捕捉、収集した後に衆人に排泄物が見えてしまうのを防ぐ目的のために備えるものである。柄の握り部分の操作機構によりワンタッチで開閉する機構を備えることが望ましい。
【考案の効果】
【００１１】  本考案は以上の構成を具備するため、ペットの排泄物を容易、且つ確実に収集できるとともに、持ち帰った後は家庭用のトイレに容易に投棄でき、後始末が煩わしくない効果を有する。更には特別な専用袋等を必要としないため経済的であり、誤って本器具が汚れてしまった場合でも、トイレの水流で簡単に洗浄できるといった効果も有する。
【考案を実施するための最良の形態】
【００１２】  以下に本考案実施の態様について説明するが、例示は単に説明用のものであり、本考案思想の制限、または限定を意味するものでないことは言うまでもない。一部符号は、重複の説明を避けるため、必要が無いほど明らかな場合は省略している。
【実施例】
【００１３】  図１は、請求項１に係わる考案を示す第１の実施例である。底プレート２は、柄１の一方先端部に固着されている。柄１の他方先端部側は握り部分であり握りやすい形状に形成されるか、滑り止め処置が施されている。底プレート２は平板状で、受け枠３の下方周縁部と接して、受け枠３をその上面に載せる。受け枠３は、底のない深平皿のような形状であり、回動時には指先で摘み易いように小取っ手６ａが形成されている。受けシート４は、受け枠３を被うことができるぐらいの大きさであればよい。保持枠５は、リング状の形状をしていて、受け枠と同様に小取っ手６ｂが成形されている。保持枠５を降ろして、受け枠３の上方周縁部に載せたときには、小取っ手６ａと６ｂは重なることなく、相互に隣接するようにする。【００１４】使用者は、保持枠５を立ち上げてから、受けシート４を受け枠３の内周面、及び底プレート２の上面に沿うように載置する。その後、保持枠５を降ろして、保持枠５と受け枠３の上方周縁部に挟んで略固定する。これで本器具の使用を開始する準備は完了する。ペットの排泄物を捕捉、収集する方法は既に公知の文献等にも開示されるように、ペットが排泄行動を始めたら、素早く受けシート４の中心が排泄物の落下点になるように本器具を差し出し、排泄物を受けシート４で受ける。【００１５】  次に収集した排泄物の後始末について説明する。図２は、使用者が排泄物を家庭用トイレに捨てる様子を示す画である。排泄物を受けシート４に載せた状態で、本器具をトイレ便器の上方に位置させ、保持枠５を数ミリから１センチぐらい上方に引き上げ、受けシート４を挟んでいた部分を緩める。次に緩めた状態を維持しながら、受け枠３を、受けシート４が外れる位置まで引き上げる。このとき、小取っ手６ａと６ｂが重ならない位置で、相互に隣接しているとこの動作は片手の指先で十分行える。以上一連の動作にやや遅れ、底プレート２をトイレ便器に向けて傾けると、排泄物と受けシートは、トイレ便器に滑り落ちる。以上で後始末の作業は完了する。【００１６】  図３は請求項２に係わる考案を示す第２の実施例である。また図４（ａ）は、図３においてＡ−Ｂ−Ｃ−Ｄの面で区切られる部分の断面図である。底プレート２は、排泄物を受ける主要部分を平面状に形成されるが、本実施例においては柄１と一体に形成される立ち上がり部分７を有する。底プレート２を傾けて排泄物、及び受けシートを滑り落とすが、この場合は底プレート２の柄１が固着されている側と対向する側を下げることでよい。底プレート２の上面側は凹凸の無い滑らかな平面を形成するが、本実施例のように受けプレート３の下方周縁部と嵌合する凹部が有っても排泄物、及び受けシートが滑り落ちることを妨げない程度の幅と深さの溝状の凹部であればよい。この凹部に受け枠３の下方周縁部が嵌合することで、底プレート２と受け枠３はより強く一体化し、特に水平方向の振動にもガタついたりしなくなる。【００１７】  保持枠５の下方周縁部に形成される溝状の凹部は、受け枠３の上方周縁部と嵌合することで、受けシート４をより強く挟持し、且つ、受け枠３とより強く一体化する。特に水平方向の振動に強くなる。受けシート４は受け枠３と保持枠５により強く挟まれるこ���で風に吹かれたときや、水平方向に揺れてもずれたり、外れることが無い。【００１８】  図３は請求項３に係わる考案を示す第３の実施例でもある。図４（ｂ）は、図３においてＡ−Ｂ−Ｃ−Ｄの面で区切られる部分の断面図である。保持枠５は、下方周縁部に凸部を形成され、受け枠３の上方周縁部に形成された凹部と嵌合するようになっている。保持枠５を出来る限り小さくすることで、ペットの排泄物を受けシート４（図示せず）の中心で補足することに失敗した場合でも保持枠５を排泄物で汚してしまうことを防ぐことができる。【００１９】  図５は請求項４に係わる考案を示す第４の実施例である。被い傘８は、雨の降るときに受けシート４（図示せず）が水に濡れるのを防ぐ作用を有する。更に排泄物を収集後に衆人に持ち歩いている排泄物が見えないように隠すことができる。ペットが排泄行為を始めたときには、素早く本器具を排泄物が落下する位置に移動する必要があるので、この被い傘８は、柄１の握り部分付近に設けられたボタンを押すと、バネなどの力で瞬時に跳ね上がる機構を備えるとより便利である。本考案は、誤ってペットの排泄物で汚れてしまった場合でも、柄の先端部分、底プレート、受け枠、保持枠の部分をトイレの水流に浸して、洗浄できるように簡単な構成でできている。従って各構成部分も可能な限り凹凸や、複雑な形状を避けるべきである。排泄物がこびり付いて洗浄が難しくなる虞があるからである。被い傘８は、できる限り柄１の上方部分に、保持枠、受け枠の係合点から離れて設けるように工夫を要する。
【図面の簡単な説明】
【００２０】
【図１】請求項１に係わる考案を示すものである。
【図２】使用者が家庭用トイレで、本考案に係わる器具を用いて排泄物、及び受けシートをトイレ便器に滑り落とす様子をしめす画である。
【図３】請求項２及び請求項３に係わる考案を示すものである。
【図４】底プレート、受け枠並びに保持枠の構造を示す断面図である。
【図５】請求項４に係わる考案を示すものである。
【符号の説明】
【００２１】  １・・・柄        ２・・・底プレート
３・・・受け枠    ４・・・受けシート
５・・・保持枠
６ａ・・保持枠に形成された小取っ手
６ｂ・・受け枠に形成された小取っ手
７・・・底プレートに形成された立ち上がり部
８・・・被い傘
【図１】
0003117236.tif 000003
【図２】
0003117236.tif 000004
【図３】
0003117236.tif 000005
【図４】
0003117236.tif 000006
【図５】
0003117236.tif 000007